(57)【要約】【課題】二次電池を、ガス検知器本体に装着された状態であっても、ガス検知器本体から取り外された単独の状態であっても、充電することができる、新規な構成を有する可搬型ガス検知器の電池充電装置を提供すること。【解決手段】電池充電装置は、二次電池が取り外し自在に設けられて構成された可搬型ガス検知器に用いられるものであって、二次電池が装着された状態の可搬型ガス検知器が受容されて装着されて二次電池の充電がなされるガス検知器装着部と、可搬型ガス検知器から取り外された単独の二次電池が受容されて装着されて充電がなされる二次電池装着部とを有し、当該ガス検知器装着部および二次電池装着部が互いに分離していることを特徴とする。【選択図】  図１１
2004336838.tif 000002
【特許請求の範囲】
【請求項１】
二次電池が取り外し自在に設けられて構成された可搬型ガス検知器の電池充電装置であって、
二次電池が装着された状態の可搬型ガス検知器が受容されて装着されて二次電池の充電がなされるガス検知器装着部と、可搬型ガス検知器から取り外された単独の二次電池が受容されて装着されて充電がなされる二次電池装着部とを有し、当該ガス検知器装着部および二次電池装着部が互いに分離していることを特徴とする可搬型ガス検知器の電池充電装置。
【請求項２】
可搬型ガス検知器および二次電池のいずれか一方が装着された場合には、他方の装着が阻害されることを特徴とする請求項１に記載の可搬型ガス検知器の電池充電装置。
【請求項３】
ガス検知器装着部および二次電池装着部は、いずれも、上方に開口する凹部により形成されていることを特徴とする請求項１または請求項２に記載の可搬型ガス検知器の電池充電装置。
【請求項４】
ガス検知器装着部には、可搬型ガス検知器を案内してその装着状態を規制する案内規制部材が設けられており、この案内規制部材により、当該可搬型ガス検知器が上方から傾斜した姿勢でガス検知器装着部に受容されて装着されることを特徴とする請求項１乃至請求項３のいずれかに記載の可搬型ガス検知器の電池充電装置。
【請求項５】
請求項１乃至請求項４のいずれかに記載の可搬型ガス検知器の電池充電装置であって、
可搬型ガス検知器は、手で握って保持可能な大きさとされた細長い形態を有し、先端にガス採取用開口が形成されたケーシングを備えてなり、
ケーシング内には、先端側領域にガス検知機構および表示機構が配設されていると共に、後端側領域に、２本の円柱状の乾電池、並びに当該乾電池と同一の外形を有する可充電電池２本が平行に並んだ状態で保持枠部材により保持されて一体的に構成された可充電電池パッケージ電源のいずれか一方が他方と交換可能に挿入されて装着される電池装填室が形成されており、
電池装填室には、乾電池の横断断面の外形に適合する受容支持部が各々の乾電池をその外周の一部に接して支持するよう形成されており、
可充電電池パッケージ電源は、電池装填室の長手方向に直交する断面における空間部に適合する断面形状を有するもの
であることを特徴とする可搬型ガス検知器の電池充電装置。
【請求項６】
可搬型ガス検知器は、可充電電池パッケージ電源を構成する保持枠部材が、長手方向に直交する断面において、２本の可充電電池が内接する矩形枠状の外接縁と、可充電電池の外周縁とにより形成される空間部に位置されるフレーム部分を有してなり、電池装填室内において当該フレーム部分が受容支持部に沿って位置されるものであり、
可充電電池パッケージ電源は、前記フレーム部分が二次電池装着部に形成された案内規制部材に沿って案内されて装着状態が規制された状態で、二次電池装着部に受容されて装着されることを特徴とする請求項５に記載の可搬型ガス検知器の電池充電装置。
【発明の詳細な説明】
【０００１】
【発明の属する技術分野】
本発明は、可搬型ガス検知器の電池充電装置に関する。
【０００２】
【従来の技術】
一般に、例えば地下の工事現場や坑道、その他の人が立ち入る場所や作業領域などにおいて、その環境の空気中に一酸化炭素ガスや硫化水素ガスなどの危険性ガスが含有されるおそれがある場合や、空気中の酸素ガス濃度が低下しているおそれがある場合など、環境雰囲気の空気が危険な状態となっている可能性あるいは危険な状態となる可能性がある場合が少なくない。
そして、環境雰囲気の空気において、含有される危険性ガスの濃度が高いことにより、または酸素ガス濃度が低いことにより、人に対して危険な状態となったときには、そのことを直ちに知ることが必要である。
【０００３】
このような要請から、現在までに種々のタイプの可搬型ガス検知器が提案されており、これらの可搬型ガス検知器においては、通常、例えば乾電池などの一次電池または二次電池（可充電電池）が駆動用電源として使用されている。
例えば、二次電池により駆動される構成の可搬型ガス検知器においては、適宜の電池充電装置により二次電池の充電がなされることにより繰り返して使用される。
【０００４】
このような可搬型ガス検知器の二次電池充電用の充電装置としては、例えば、二次電池が装着された状態の可搬型ガス検知器（二次電池が内蔵されているものも含む）を装着することにより、あるいは、可搬型ガス検知器の本体から取り出した単独の二次電池を装着することにより、充電を行うものなど、種々の構成のものが利用されている。
【０００５】
【発明が解決しようとする課題】
一般に、このような可搬型ガス検知器の二次電池充電用の充電装置は、可搬型ガス検知器における充電用入力端子と十分な電気的接続が達成され、二次電池の充電を確実に行うことができ、しかも、ガス検知器または二次電池を充電装置に対して容易に装着することができるものであることが望まれている。
【０００６】
そこで、本発明は、二次電池を、ガス検知器本体に装着された状態であっても、ガス検知器本体から取り外された単独の状態であっても、充電することができる、新規な構成を有する可搬型ガス検知器の電池充電装置を提供することを目的とする。
【０００７】
【課題を解決するための手段】
本発明の可搬型ガス検知器の電池充電装置は、二次電池が取り外し自在に設けられて構成された可搬型ガス検知器の電池充電装置であって、
二次電池が装着された状態の可搬型ガス検知器が受容されて装着されて二次電池の充電がなされるガス検知器装着部と、可搬型ガス検知器から取り外された単独の二次電池が受容されて装着されて充電がなされる二次電池装着部とを有し、当該ガス検知器装着部および二次電池装着部が互いに分離していることを特徴とする。
【０００８】
本発明の可搬型ガス検知器の電池充電装置においては、可搬型ガス検知器および二次電池のいずれか一方が装着されている場合には、他方の装着が阻害される構成とされていることが好ましい。
【０００９】
また、本発明の可搬型ガス検知器の電池充電装置においては、ガス検知器装着部および二次電池装着部は、いずれも、上方に開口する凹部により形成された構成とすることができる。
さらに、本発明の可搬型ガス検知器の電池充電装置においては、ガス検知器装着部には、可搬型ガス検知器を案内してその装着状態を規制する案内規制部材が設けられており、この案内規制部材により、当該可搬型ガス検知器が上方から傾斜した姿勢でガス検知器装着部に受容されて装着される構成とされていることが好ましい。
【００１０】
本発明の可搬型ガス検知器の電池充電装置においては、可搬型ガス検知器は、手で握って保持可能な大きさとされた細長い形態を有し、先端にガス採取用開口が形成されたケーシングを備えてなり、
ケーシング内には、先端側領域にガス検知機構および表示機構が配設されていると共に、後端側領域に、２本の円柱状の乾電池、並びに当該乾電池と同一の外形を有する可充電電池２本が平行に並んだ状態で保持枠部材により保持されて一体的に構成された可充電電池パッケージ電源のいずれか一方が他方と交換可能に挿入されて装着される電池装填室が形成されており、
電池装填室には、乾電池の横断断面の外形に適合する受容支持部が各々の乾電池をその外周の一部に接して支持するよう形成されており、
可充電電池パッケージ電源は、電池装填室の長手方向に直交する断面における空間部に適合する断面形状を有するもの
が使用される構成とすることができる。
【００１１】
このような可搬型ガス検知器が使用される場合には、当該可搬型ガス検知器は、可充電電池パッケージ電源を構成する保持枠部材が、長手方向に直交する断面において、２本の可充電電池が内接する矩形枠状の外接縁と、可充電電池の外周縁とにより形成される空間部に位置されるフレーム部分を有してなり、電池装填室内において当該フレーム部分が受容支持部に沿って位置されるものであり、
可充電電池パッケージ電源は、前記フレーム部分が二次電池装着部に形成された案内規制部材に沿って案内されて装着状態が規制された状態で、二次電池装着部に受容されて装着される構成のものとすることができる。
【００１２】
【作用】
上記構成の可搬型ガス検知器の電池充電装置によれば、各々、ガス検知器および二次電池が装着されることにより充電がなされるガス検知器装着部および二次電池装着部が分離して形成されていることにより、例えば、二次電池をガス検知器本体から取り出して充電を行い、充電終了後にガス検知器本体に再装填したり、あるいは、予備の二次電池が用意されている場合において、予備の二次電池を充電するために、ガス検知器本体に装着されている二次電池を取り出して予備の二次電池をガス検知器本体に装着して充電を行ったりするなどの煩雑な操作を行う必要がなく、二次電池が装着されたガス検知器をガス検知器装着部に装着することにより、あるいは単独の二次電池を二次電池装着部に装着することにより、二次電池を充電することができるので、高い利便性を有するものとされる。
【００１３】
また、ガス検知器および二次電池のいずれか一方が装着されている場合に、他方の装着が阻害される構成とされていることにより、ガス検知器装着部に係る充電用回路と二次電池装着部に係る充電用回路とを別個に形成しておく必要がなく、ガス検知器に装着された状態の二次電池および例えば予備のものなどの単独の二次電池を同時に充電する場合であれば必要とされる複雑な動作制御を行うことが不要であるので、極めて簡単な構成で所定の機能が確実に得られる。
【００１４】
さらに、ガス検知器装着部および二次電池装着部が上方に開口する凹部により形成されていることにより、二次電池が装着された状態のガス検知器またはガス検知器から取り外された単独の状態の二次電池を上方から挿入しさえすれば、適正な装着状態で対応する装着部に受容されて装着されるので、極めて容易に装着することができる。
特に、ガス検知器装着部に案内用規制部材が設けられており、ガス検知器が傾斜した姿勢で保持される構成とされていることにより、基本的には、ガス検知器がその自重により適正な装着状態でいわば自動的に受容されて装着されるので、ガス検知器を極めて容易に装着することができ、しかも、ガス検知器装着部を形成する壁面に支持された状態とされているので、充電終了後にガス検知器を容易に取り外すことができる。
【００１５】
【発明の実施の形態】
以下、本発明について図面を参照しながら詳細に説明する。
＜可搬型ガス検知器＞
本発明の充電装置が使用される可搬型ガス検知器は、例えば、手で握って保持可能な大きさとされた細長い形態を有し、例えば単４型の乾電池（ＡＡＡサイズ（ＡＮＳＩ規格））の２本、並びに当該乾電池と同一の外形を有する可充電電池（蓄電池）の２本が平行に並んだ状態で保持枠部材によって保持されて一体に構成されてなる可充電電池パッケージ電源（以下、単に「パッケージ電源」という。）のいずれか一方が、他方と交換可能に共通の電池装填室内に挿入されて装着されて、使用されるものである。
【００１６】
図１は、本発明の充電装置が使用される可搬型ガス検知器の一例における外観を示す平面図、図２は、図１におけるＤ−Ｄ断面の縦断断面図、図３は、乾電池が電池装填室に装着された場合の、図１におけるＥ−Ｅ断面の縦断断面図、図４は、可充電電池パッケージ電源が電池装填室に装着された場合の、図１におけるＥ−Ｅ断面の縦断断面図である。
この可搬型ガス検知器（以下、単に「ガス検知器」という。）２０は、上述したように、手で握って保持可能な大きさとされた全体が直方体のケーシング２１を備えており、このケーシング２１には、先端にガス採取用開口２１Ａが形成されていると共に後端に乾電池３０、３０またはパッケージ電源１０が挿入される後端開口２１Ｂが形成されている。
【００１７】
ケーシング２１内には、平板状の回路基板２２が当該ケーシング２１の長手方向に延びる状態で配設されている。
ケーシング２１内において、回路基板２２の表面側における先端側領域に、ガス採取用開口２１Ａに対向して設けられたガスセンサ２３Ａを含むガス検知機構２３、検出された検知対象ガスの濃度を表示する表示機構２４、検出されたガス濃度が一定の大きさの基準値を超えたときに警報が発せられる警報報知機構が配設されていると共に、後端側領域に、２本の乾電池３０、３０、並びにパッケージ電源１０のいずれか一方が他方と交換可能に挿入されて装填される電池装填室２５が形成されている。
【００１８】
図１乃至図４において、３５Ａは第１の操作用ボタン、３５Ｂは機能調整用の第２の操作用ボタン、２４Ａはガス検知機構により検知されたガス濃度値およびその他の情報が表示される表示部、２１Ｄはケーシング２１の全周にわたって設けられた金属帯であり、この金属帯２１Ｄにより連続した樹脂部分の表面積が一定の大きさ以下に規制されて可燃性ガスを発火させる程度の電荷量の静電気が生じることが防止された構成とされている。
３１は、回路基板２２に沿って長手方向に延びるよう設けられた必要な種々の機能素子が実装された平板状の制御用回路基板であって、この制御用回路基板３１により、ガス検知機構２３、表示機構２４、警報報知機構およびその他の動作機構の動作が制御される。３２および３３は、制御用回路基板３１の裏面に配設された警報報知機構を構成する警報用ブザーおよび警報用振動発生器であり、それぞれ、ブザー音および振動により、警報を発するものである。
また、３４は、ケーシング２１におけるガス採取用開口２１Ａを塞ぐよう設けられたフィルター３４Ａを備えたフィルターユニットである。
【００１９】
電池装填室２５内には、図５および図６にも示されているように、乾電池３０、３０の外形に適合する受容支持部２６がケーシング２１の長手方向に延びるよう形成されており、この受容支持部２６は、２本の乾電池３０、３０をその外周の一部、具体的には、各々の乾電池３０、３０の外周における上面、下面および両側面に接して支持する電池支持面２７を有する受容案内部形成部分２６Ａにより形成されている。
【００２０】
電池装填室２５を区画する先端側の区画壁２５Ａには、受容支持部により形成される各々の乾電池保持用空間に対応した位置において、接続用接片４０Ａを介して回路基板２２に接続された、例えばスプリング状のバネ材よりなる一方の乾電池用接片４０、４０が電池装填室２５の内部空間に露出した状態で配設されている。
【００２１】
ケーシング２１の後端開口２１Ｂには、電池装填室カバー３６が例えば取り付けネジ３６Ａにより取り外し自在に設けられており、この電池装填室カバー３６の内面には、一方の乾電池接続用接片４０、４０の各々に対向した位置に、例えばスプリング状のバネ材よりなる他方の乾電池接続用接片４１、４１が互いに接続された状態で設けられている。
そして、他方の乾電池接続用接点４１、４１の先端部分には、例えば樹脂よりなるガイド板４２が当該他方の乾電池接続用接片４１、４１の各々を先端が表面に露出した状態で連結するよう設けられている。
【００２２】
電池装填室２５を区画する回路基板配設側の区画壁２５Ｂ（図３および図４における下側区画壁）には、後端開口２１Ｂの開口縁よりケーシング２１の長手方向に延びる、後述するパッケージ電源１０の接片配置用端子台１５、１５が収容される案内溝２５Ｃ、２５Ｃが、回路基板２２におけるパッケージ電源接続用正極側接片４５Ａ、４５Ｂおよびパッケージ電源接続用負極側接片（図示せず）を電池装填室２５の内部空間に露出させる状態で、形成されており、これにより、乾電池用接点およびパッケージ電源用接点が別個に形成された状態とされている。
【００２３】
ケーシング２１の裏面における、パッケージ電源１０が電池装填室２５に装着された場合において接続接片配置用端子台１５、１５と回路基板２２を介して対向する位置には、充電用入力端子５０が配設されている。
【００２４】
このガス検知器２０に用いられるパッケージ電源１０は、例えば以下のようなものである。
【００２５】
図７は、パッケージ電源の一例における構成を示す分解斜視図、図８は、図７に示すパッケージ電源の平面図であり、図９は、（イ）が図８におけるＡ−Ａ断面の縦断断面図、（ロ）が図８におけるＢ−Ｂ断面の縦断断面図をそれぞれ示し、図１０は、（イ）がパッケージ電源の背面図、（ロ）がパッケージ電源の正面図、（ハ）が図８におけるＣ−Ｃ断面の横断断面図をそれぞれ示す。
【００２６】
パッケージ電源１０は、上述したように、２本の可充電電池（蓄電池）１３、１４が平行に並んだ状態で保持枠部材１２によって保持されて一体に構成されている。
パッケージ電源１０を構成する保持枠部材１２は、例えば樹脂よりなり、長手方向に直交する断面において、２本の可充電電池１３、１４が内接する外接縁と、当該可充電電池１３、１４の外周縁とにより形成される空間部に位置されるフレーム部分１１、１１、１１、１１、１１を有し（図１０（ハ）参照）、電池装填室の長手方向に直交する断面における空間部の形状に適合する断面形状を有するものとされている。
２本の可充電電池１３、１４は、互いに正極側接点１３Ａ、１４Ａおよび負極側接点１３Ｂ、１４Ｂが逆さにされた状態で、保持枠部材１２におけるフレーム部分の各々によって支持され、可充電電池１３、１４の長手方向における保持枠部材１２の一端側の内端面に配設された接続用接片１７により直列に接続されている。
この例における保持枠部材１２は、表面側枠部材１２Ａおよび裏面側枠部材１２Ｂが一体に接合されて、両側部に、装着されるべき電池装填室２５の受容案内部２６を形成する受容案内部形成部分２６Ａ（電池装填室２５の両側部に形成された受容案内部形成部分）に適合する断面形状を有する装着用凹所１８、１８が形成された状態とされており、各々の可充電電池１３、１４をその外周の一部を露出した状態で保持する。
【００２７】
パッケージ電源１０の他端側における可充電電池１３、１４の各々の外周面位置には、可充電電池１３、１４の外周面位置より径方向外方に突出し、長手方向に延びる接片配置用端子台１５、１５が形成されており、各々の接片配置用端子台１５、１５には、接続端子用接片１６、１６がそれぞれ一方の可充電電池１３の正極側接点１３Ａまたは他方の可充電電池１４の負極側接点１４Ｂに接続された状態で配設されている。
【００２８】
上記構成のガス検知器２０は、上述したように、例えば２本の単４型の乾電池３０、３０、並びにパッケージ電源１０のいずれか一方が他方と交換可能に装着されて使用されるが、乾電池３０、３０が装着された場合には、各々の乾電池３０、３０は、いずれも、電池装填室２５の内部空間に露出するパッケージ電源用接点とは非接続状態とされる。
また、パッケージ電源１０が装着された場合には、パッケージ電源１０における各々の可充電電池１３、１４それ自体の接点は、電気絶縁性を有する保持枠部材１２により覆われた状態とされているので、乾電池用接点と非接続状態とされる。
【００２９】
以上において、ガス検知機構２３を構成するガスセンサ２３Ａとしては、例えば接触燃焼式ガスセンサを例示することができ、また、検知対象ガスの種類は特に限定されるものではなく、ＬＰＧ、都市ガス、メタンガス、水素ガス、エチレンガス、アセチレンガス、ガソリンおよびその他の可燃性ガスを例示することができる。
【００３０】
＜充電装置＞
図１１は、本発明の可搬型ガス検知器の充電装置の一例における構成を示す上面図、図１２は、図１１に示す充電装置の正面図、図１３は、図１１におけるＡ−Ａ断面の縦断断面図、図１４は、ガス検知器が装着された場合の、図１１におけるＡ−Ａ断面の縦断断面図、図１５は、パッケージ電源が装着された場合の、図１１におけるＡ−Ａ断面の縦断断面図である。
この可搬型ガス検知器の充電装置（以下、単に「充電装置」という。）６０は、例えばＡＢＳ樹脂などの難燃性樹脂よりなり、全体が概略四角錐台状の箱型のケーシング６１を備えてなり、ケーシング６１内には、前後方向に延びるよう平板状の制御用回路基板６２が配設されている。
制御用回路基板６２には、例えば変圧器、Ａ／Ｄ変換器およびその他の機能素子６３が実装されている。
６４は、ケーシング６１内における制御用回路基板６２の下方位置に形成された、電源コード６５が収納される電源コード収納部、６６は、ガス検知器２０またはパッケージ電源１０が装着されることによって発光により充電動作の状態を表示するパイロットランプ、６７は、ガス検知器２０に適宜に設けられる例えばクリップなどの装着用部材が収容される装着用部材収容用凹所である。
【００３１】
ケーシング６１の中央位置には、上方に開口する凹部７０が形成されており、この凹部７０は、段部７１を介して前後方向に連続する２つの空間部を有し、後方に位置される空間部がガス検知器２０が受容されて装着されることにより充電がなされるガス検知器装着部７２とされていると共に、前方に位置される空間部がガス検知器２０から取り外された単独のパッケージ電源１０が受容されて装着されることにより充電がなされる二次電池装着部７３とされている。
【００３２】
ガス検知器装着部７２を形成する下壁７２Ａは、充電装置の設置面に対するレベル位置が二次電池装着部７３の下壁のレベル位置より高い位置に形成されており、後方に向かうに従って当該レベル位置が低くなるよう傾斜する状態とされている。
また、ガス検知器装着部７２を形成する後壁７２Ｂは、下壁７２Ａに対して垂直方向に延びるよう形成されており、これにより、ガス検知器２０はその自重により先端が後方に傾斜する姿勢で支持されて受容される。
ここに、ガス検知器装着部７２を形成する後壁７２Ｂの鉛直断面に対する傾斜角度、すなわち、ガス検知器２０が受容されたときの当該ガス検知器２０の傾斜角度θは、例えば５〜１０゜とされる。
【００３３】
ガス検知器装着部７２を形成する後壁７２Ｂには、制御用回路基板６２に接続された充電用出力端子７５が配設されている。
充電用出力端子７５は、各々、先端側部分にガス検知器２０の充電用入力端子５０、５０に接続されるべき接点形成部分７６Ａ、７６Ａが形成されていると共に、他端側部分がコイル状に巻回されてなるバネ材よりなる２つの接続用接片７６、７６により構成されており、接続用接片７６、７６の接点形成用部分７６Ａ、７６Ａが、後壁７２Ｂにおける幅方向に並んだ位置において、ガス検知器装着部７２の内部空間に露出されている。
【００３４】
ガス検知器装着部７２における両側部には、ガス検知器２０を案内してその装着状態を規制する案内規制部材としての機能する案内用突条７７が、それぞれ、２つずつ前後方向に離間して並んで、上方に延びるよう配設されている。
【００３５】
二次電池装着部７３は、上述したように、ガス検知器２０から取り出された単独のパッケージ電源１０を受容する。
二次電池装着部７３を形成する前壁７３Ａには、制御用回路基板６２に接続された充電用出力端子８０、８０が配設されている。
充電用出力端子８０、８０は、各々、パッケージ電源１０における接続端子用接片１６、１６に接続されるべき接点形成部分８１Ａ、８１Ａを有するバネ材よりなる２つの接続用接片８１、８１により構成されており、接続用接片８１、８１の接点形成用部分８１Ａ、８１Ａが二次電池装着部７３の内部空間に露出されている。
【００３６】
二次電池装着部７３における両側部には、パッケージ電源１０の両側に形成された装着用凹所１８、１８（図１０参照。）に適合する断面形状を有する案内用突条７８、７８が上方に延びるよう配設されており、これにより、パッケージ電源１０が、その接片配置用端子台１５、１５が下方に位置される姿勢で、その装着用凹所１８、１８が対応する案内用突条７８、７８に沿って上方から挿入されて、垂立した姿勢で受容されて装着される。
【００３７】
上記の充電装置６０においては、ガス検知器装着部７２を形成する下壁７２Ａの面積がガス検知器２０の下面の面積より小さい状態とされており、これにより、ガス検知器２０がその前面部分が二次電池装着部７３に突出した状態で装着されるため、ガス検知器２０がガス検知器装着部７２に装着されている場合には、パッケージ電源１０の装着はガス検知器２０により実際上阻害され、また、パッケージ電源１０が二次電池装着部７３に装着されている場合には、ガス検知器２０の装着がパッケージ電源１０により実際上阻害されることとなる。
このような構成とされていることにより、凹部７０の一部が共有されて充電装置を小型のものとして構成することができる。
【００３８】
また、ケーシング６１の下面には、縦横に延びる電源コード収納用十字溝８５が形成されており、これにより、電源コード６５の引出し方向を四方から自由に選択することができ、充電装置１０を安定した姿勢で設置することが可能となり、従って、ガス検知器２０およびパッケージ電源１０が適正な姿勢で対応する装着部に装着されて確実な充電動作を行うことができる。
【００３９】
この充電装置１０は、ガス検知器２０およびこのガス検知器２０に用いられるパッケージ電源１０のいずれか一方が対応する装着部に受容されて装着された状態において、例えばＡＣ８０〜ＡＣ３６０Ｖの電源に接続されて使用される。
具体的には、パッケージ電源１０が装着された状態のガス検知器２０が、ガス検知器装着部７２に上方から挿入されて案内用突条７７、７７により案内されて受容され、先端部分が後方側に傾斜した姿勢で、ガス検知器２０の裏面における充電用入力端子５０がガス検知器装着部７２における充電用出力端子７５に接続されて装着され、これにより、パイロットランプ６６が点灯されると共に可充電電池１３、１４の充電がなされる。
また、ガス検知器２０から取り出された単独のパッケージ電源１０が、その接片配置用端子台１５、１５が下方に位置される姿勢で、二次電池装着部７３に上方から挿入されて案内用突条に沿って案内され、パッケージ電源１０における接続端子用接片１６、１６の各々が二次電池装着部７３における対応する接続用接片８１、８１に接続された状態で受容されて装着され、これにより、パイロットランプ６６が点灯されると共に可充電電池１３、１４の充電がなされる。
【００４０】
而して、上記構成の充電装置１０によれば、各々、ガス検知器２０およびパッケージ電源１０が装着されることにより充電がなされるガス検知器装着部７２および二次電池装着部７３が分離して形成されていることにより、例えば、パッケージ電源１０をガス検知器２０から取り出して充電を行い、充電終了後にガス検知器２０に再装填したり、あるいは、予備のパッケージ電源１０が用意されている場合において、予備のパッケージ電源１０を充電するために、ガス検知器２０に装着されているパッケージ電源１０を取り出して予備のパッケージ電源１０をガス検知器２０に装着して充電を行ったりするなどの煩雑な操作を行う必要がなく、パッケージ電源１０が装着されたガス検知器２０をガス検知器装着部７２に装着することにより、あるいは単独のパッケージ電源１０を二次電池装着部７３に装着することにより、可充電電池１３、１４を充電することができるので、高い利便性を有するものとなる。
【００４１】
また、ガス検知器２０およびパッケージ電源１０のいずれか一方が装着されている場合には、他方の装着が阻害される構成とされていることにより、ガス検知器装着部７２に係る充電用回路と二次電池装着部７３に係る充電用回路とを別個に形成しておく必要がなく、ガス検知器２０に装着された状態のパッケージ電源１０および例えば予備のものなどの単独のパッケージ電源１０を同時に充電する場合であれば必要とされる複雑な動作制御を行うことが不要であるので、極めて簡単な構成で所定の機能が確実に得られる。
【００４２】
さらに、ガス検知器装着部７２および二次電池装着部７３が上方に開口する凹部７０により形成されていることにより、パッケージ電源１０が装着された状態のガス検知器２０またはガス検知器２０から取り外された単独の状態のパッケージ電源１０を上方から挿入しさえすれば、適正な装着状態で対応する装着部に受容されて装着されるので、極めて容易に装着することができる。
特に、ガス検知器装着部７２に案内用突条７７が設けられており、ガス検知器２０が傾斜した姿勢で保持される構成とされていることにより、基本的には、ガス検知器２０がその自重により適正な装着状態でいわば自動的に受容されて装着されるので、ガス検知器２０を極めて容易に装着することができ、しかも、単に、ガス検知器装着部７２を形成する壁面に支持された状態とされているので、充電終了後にガス検知器２０を容易に取り外すことができる。
【００４３】
以上、本発明の実施形態について説明したが、本発明は上記の態様に限定されるものではなく、種々の変更を加えることができる。
例えば、ガス検知器装着部および二次電池装着部の両者が分離して形成されていれば、上記実施例のように両者が並んだ位置において近接して形成されている必要はないが、実際上、充電装置を小型のものとして構成することができ、しかも、ガス検知器装着部に係る充電用回路と二次電池装着部に係る充電用回路とを別個に形成する必要がないなど、構造を簡素化することができることから、ガス検知器装着部と二次電池装着部の両者が近接した位置に形成されていることが好ましい。
【００４４】
また、可搬型ガス検知器は、駆動用電源として用いられる二次電池が取り外し自在に設けられた構成のものであれば、上記の構成のものに限定されない。
さらに、ガス検知器に用いられる２本の可充電電池がパッケージ電源（一体）として構成されていない場合において、例えば、二次電池装着部に適合するアダプターを用意しておき、可充電電池を当該アダプターに装着した状態において、アダプターが二次電池装着部に装着されるよう構成されていてもよい。
【００４５】
また、ガス検知器は当該ガス検知器を傾斜した姿勢で上方から挿入して装着部に受容させ、適宜の嵌合手段によって嵌合されて装着され、これにより、ガス検知器における充電用入力端子が充電装置における充電用出力端子と電気的接続が達成される構成とされていてもよい。
【００４６】
【発明の効果】
本発明の可搬型ガス検知器の充電装置によれば、各々、ガス検知器本体および二次電池が装着されることにより充電がなされるガス検知器装着部および二次電池装着部が分離して形成されていることにより、例えば、二次電池をガス検知器本体から取り出して充電を行い、充電終了後にガス検知器本体に再装填したり、あるいは、予備の二次電池が用意されている場合において、予備の二次電池を充電するために、ガス検知器本体に装着されている二次電池を取り出して予備の二次電池をガス検知器本体に装着して充電を行ったりするなどの煩雑な操作を行う必要がなく、二次電池が装着されたガス検知器をガス検知器装着部に装着することにより、あるいは単独の二次電池を二次電池装着部に装着することにより、二次電池を充電することができるので、高い利便性が得られる。
【００４７】
また、ガス検知器本体および二次電池のいずれか一方が装着されている場合に、他方の装着が阻害される構成とされていることにより、ガス検知器装着部に係る充電用回路と二次電池装着部に係る充電用回路とを別個に形成しておく必要がなく、ガス検知器本体に装着された状態の二次電池および例えば予備のものなどの単独の二次電池を同時に充電する場合であれば必要とされる複雑な動作制御を行うことが不要であるので、極めて簡単な構成で所定の機能が確実に得られる。
【００４８】
さらに、ガス検知器装着部および二次電池装着部が上方に開口する凹部により形成されていることにより、二次電池が装着された状態のガス検知器またはガス検知器から取り外された単独の状態の二次電池を上方から挿入しさえすれば、適正な装着状態で対応する装着部に受容されて装着されるので、極めて容易に装着することができる。
特に、ガス検知器装着部に案内用規制部材が設けられており、ガス検知器が傾斜した姿勢で保持される構成とされていることにより、基本的には、ガス検知器がその自重により適正な装着状態でいわば自動的に受容されて装着されるので、ガス検知器を極めて容易に装着することができ、しかも、ガス検知器装着部を形成する壁面に支持された状態とされているので、充電終了後にガス検知器を容易に取り外すことができる。
【図面の簡単な説明】
【図１】可搬型ガス検知器の一例における外観を示す平面図である。
【図２】図１におけるＤ−Ｄ断面の縦断断面図である。
【図３】乾電池が電池装填室に装着された場合の、図１におけるＥ−Ｅ断面の縦断断面図である。
【図４】可充電電池パッケージ電源が電池装填室に装着された場合の、図１におけるＥ−Ｅ断面の縦断断面図である。
【図５】乾電池が装着された場合における電池装填室の背面図である。
【図６】可充電電池パッケージ電源が装着された場合における電池装填室の背面図である。
【図７】可搬型ガス検知器に用いられるパッケージ電源の分解斜視図である。
【図８】図７に示す可充電電池パッケージ電源の平面図である。
【図９】（イ）図８におけるＡ−Ａ断面を示す縦断断面図、（ロ）図８におけるＢ−Ｂ断面を示す縦断断面図である。
【図１０】（イ）図８に示す可充電電池パッケージ電源の背面図、（ロ）図８に示す可充電電池パッケージ電源の正面図、（ハ）図８に示す可充電電池パッケージ電源のＣ−Ｃ断面における横断断面図である。
【図１１】本発明の可搬型ガス検知器の充電装置の一例における構成を示す上面図である。
【図１２】図１１に示す充電装置の正面図である。
【図１３】図１１におけるＡ−Ａ断面の縦断断面図である。
【図１４】ガス検知器が装着された場合の、図１１におけるＡ−Ａ断面の縦断断面図である。
【図１５】パッケージ電源が装着された場合の、図１１におけるＡ−Ａ断面の縦断断面図である。
【符号の説明】
１０  可充電電池パッケージ電源
１１  フレーム部分
１２  保持枠部材
１２Ａ  表面側枠部材
１２Ｂ  裏面側枠部材
１３、１４  可充電電池
１３Ａ、１４Ａ  正極側接点
１３Ｂ、１４Ｂ  負極側接点
１５  接片配置用端子台
１６  接続端子用接片
１７  接続用接片
１８  装着用凹所
２０  可搬型ガス検知器
２１  ケーシング
２１Ａ  ガス採取用開口
２１Ｂ  後端開口
２１Ｄ  金属帯
２２  回路基板
２３  ガス検知機構
２３Ａ  ガスセンサ
２４  表示機構
２４Ａ  ガス表示部
２５  電池装填室
２５Ａ  区画壁
２５Ｂ  区画壁
２５Ｃ  案内溝
２６  受容支持部
２６Ａ  受容支持部形成部分
２７  電池支持面
３０  乾電池
３１  制御用回路基板
３２  警報用ブザー
３３  警報用振動発生器
３４  フィルターユニット
３４Ａ  フィルター
３５Ａ  第１の操作用ボタン
３５Ｂ  機能調整用の第２の操作用ボタン
３６  電池装填室カバー
３６Ａ  取り付けネジ
４０  一方の乾電池接続用接片
４０Ａ  接続用接片
４１  他方の乾電池接続用接片
４２  ガイド板
４５Ａ  パッケージ電源用正極側接片
４５Ｂ  パッケージ電源用正極側接片
５０  充電用入力端子
６０  充電装置
６１  ケーシング
６２  制御用回路基板
６３  機能素子
６４  電源コード収納部
６５  電源コード
６６  パイロットランプ
６７  装着用部材収容用凹所
７０  凹部
７１  段部
７２  ガス検知器装着部
７２Ａ  下壁
７２Ｂ  後壁
７３  二次電池装着部
７３Ａ  前壁
７５  充電用出力端子
７６  接続用接片
７６Ａ  接点形成部分
７７  案内用突条
７８  案内用突条
８０  充電用出力端子
８１  接続用接片
８１Ａ  接点形成部分
８５  電源コード収納用十字溝
【図１】
2004336838.tif 000003
【図２】
2004336838.tif 000004
【図３】
2004336838.tif 000005
【図４】
2004336838.tif 000006
【図５】
2004336838.tif 000007
【図６】
2004336838.tif 000008
【図７】
2004336838.tif 000009
【図８】
2004336838.tif 000010
【図９】
2004336838.tif 000011
【図１０】
2004336838.tif 000012
【図１１】
2004336838.tif 000013
【図１２】
2004336838.tif 000014
【図１３】
2004336838.tif 000015
【図１４】
2004336838.tif 000016
【図１５】
2004336838.tif 000017